(57)【要約】【課題】  本発明は、１フレーム期間内に複数の表示データを表示する表示装置の画素における表示信号の書き込み期間の短縮に伴う画素の応答速度の遅延又は輝度不足を低減することにより、動画ぼやけを低減し、動画像の画質を向上する。【解決手段】  本発明は、１フレーム期間の表示データを入力し、１フレーム期間にＡフィールド表示データとＢフィールド表示データを出力する倍速化回路320と、表示データが高階調である場合にＡフィールド表示データを最高階調へ変換し、表示データが低階調である場合にＢフィールド表示データを最低階調へ変換するフィールド変換回路330との間に、１フレーム期間前の表示データと現フレーム期間の表示データに応じてＡフィールド表示データとＢフィールド表示データを個別に強調する強調回路320を設けた。【選択図】図３
2006343707.tif 000002
【特許請求の範囲】
【請求項１】
複数の画素が配列された表示パネルと、表示データに応じた表示信号を前記画素へ出力する第１の駆動回路と、前記表示信号を受けるべき画素を選択するための選択信号を前記画素へ出力する第２の駆動回路とを備えた表示装置において、
フレーム周期で表示データを入力し、第（ｎ−１）（ｎは１以上の整数）フレーム期間の表示データの値と第ｎフレーム期間の表示データの値とに応じて前記第ｎフレーム期間の表示データを変換し、前記第ｎフレーム期間内のｍ（ｍは２以上の整数）個の期間の各々に応じて、前記ｍ個の表示データを出力する第１の変換回路と、
前記画素において前記ｍ個の表示データにより前記第ｎフレーム期間に入力された表示データに応じた輝度が生じるように、前記ｍ個の表示データの各々を変換する第２の変換回路とを備え、
前記第１の駆動回路は、前記第ｎフレーム期間内のｍ個の期間の各々に応じて、前記第２の変換回路からの前記ｍ個の表示データに応じた表示信号を前記画素へ出力することを特徴とする表示装置。
【請求項２】
前記第１の変換回路は、前記ｍ個の表示データの各々について定義された規則に従って、前記第ｎフレーム期間のｍ個の表示データの各々を変換することを特徴とする請求項１に記載の表示装置。
【請求項３】
前記第２の変換回路は、前記ｍ個の表示データが前記表示データの最大値と最小値の間の所定値又は所定範囲より小さい場合に、前記ｍ個の表示データの少なくとも１つを最小値の表示データへ変換し、
前記第２の変換回路は、前記ｍ個の表示データが前記所定値又は前記所定範囲より大きい場合に、前記ｍ個の表示データの少なくとも１つを最大値の表示データへ変換し、
前記第１の変換回路は、前記所定値又は前記所定範囲に対する前記第（ｎ−１）フレーム期間の表示データの値の大小に応じて、及び／又は、  前記所定値又は前記所定範囲に対する前記第ｎフレーム期間の表示データの値の大小に応じて、前記第ｎフレーム期間の表示データを変換することを特徴とする請求項１に記載の表示装置。
【請求項４】
前記第１の変換回路は、前記第ｎフレーム期間の表示データの値が前記第（ｎ−１）フレーム期間の表示データの値より大きい場合に、前記第ｎフレーム期間の前記ｍ個の表示データのうち最大値の表示データ以外の表示データの少なくとも１つの値を増加し、
前記第１の変換回路は、前記第ｎフレーム期間の表示データの値が前記第（ｎ−１）フレーム期間の表示データの値より小さい場合に、前記第ｎフレーム期間の前記ｍ個の表示データのうち最小値の表示データ以外の表示データの少なくとも１つの値を減少することを特徴とする請求項１に記載の表示装置。
【請求項５】
複数の画素が配列された表示パネルと、表示データに応じた表示信号を前記画素へ出力する第１の駆動回路と、前記表示信号を受けるべき画素を選択するための選択信号を前記画素へ出力する第２の駆動回路とを備えた表示装置において、
フレーム周期で表示データを入力し、第（ｎ−１）（ｎは１以上の整数）フレーム期間の表示データの値と第ｎフレーム期間の表示データの値とに応じて前記第ｎフレーム期間の表示データを変換し、前記第ｎフレーム期間内の第１期間に第１表示データを出力し、前記第ｎフレーム期間内の第２期間に第２表示データを出力する第１の変換回路と、
前記画素において前記第１表示データ及び前記第２表示データにより前記第ｎフレーム期間に入力された表示データに応じた輝度が生じるように、前記第１表示データと前記第２の表示データの各々を変換する第２の変換回路とを備え、
前記第１の駆動回路は、前記第１期間に前記第１表示データに応じた表示信号を前記画素へ出力し、前記第２期間に前記第２表示データに応じた表示信号を前記画素へ出力することを特徴とする表示装置。
【請求項６】
前記第１の変換回路は、前記第１期間の前記表示データと前記第２期間の前記表示データの各々について定義された規則に従って、前記第ｎフレーム期間の前記第１期間の前記表示データと前記第２期間の前記表示データの各々を変換することを特徴とする請求項５に記載の表示装置。
【請求項７】
前記第２の変換回路は、前記表示データが前記表示データの最大値と最小値の間の所定値又は所定範囲より小さい場合に、前記第１表示データと前記第２表示データの一方を最小値の表示データへ変換し、
前記第２の変換回路は、前記表示データが前記所定値又は前記所定範囲より大きい場合に、前記第１表示データと前記第２表示データの他方を最大値の表示データへ変換し、
前記第１の変換回路は、前記所定値又は前記所定範囲に対する前記第（ｎ−１）フレーム期間の表示データの値の大小に応じて、及び／又は、  前記所定値又は前記所定範囲に対する前記第ｎフレーム期間の表示データの値の大小に応じて、前記第ｎフレーム期間の表示データを強調することを特徴とする請求項５に記載の表示装置。
【請求項８】
前記第１の変換回路は、前記第ｎフレーム期間の表示データの値が前記第（ｎ−１）フレーム期間の表示データの値より大きい場合に、前記第ｎフレーム期間の前記第１表示データと前記第２表示データの一方を増加し、
前記第１の変換回路は、前記第ｎフレーム期間の表示データの値が前記第（ｎ−１）フレーム期間の表示データの値より小さい場合に、前記第ｎフレーム期間の前記第１表示データと前記第２表示データの他方を減少することを特徴とする請求項５に記載の表示装置。
【請求項９】
前記第１の変換回路は、前記第ｎフレーム期間の表示データの値が前記第（ｎ−１）フレーム期間の表示データの値より大きく、かつ前記第ｎフレーム期間の前記第１表示データと前記第２表示データの双方が最大値でない場合に、前記第１表示データと前記第２表示データのうち値が大きい表示データを強調し、
前記第１の変換回路は、前記第ｎフレーム期間の表示データの値が前記第（ｎ−１）フレーム期間の表示データの値より大きく、かつ前記第ｎフレーム期間の前記第１表示データと前記第２表示データの一方が最大値である場合に、前記第１表示データと前記第２表示データの他方を強調し、
前記第１の変換回路は、前記第ｎフレーム期間の表示データの値が前記第（ｎ−１）フレーム期間の表示データの値より小さく、かつ前記第ｎフレーム期間の前記第１表示データと前記第２表示データの双方が最小値でない場合に、前記第１表示データと前記第２表示データのうち値が小さい表示データを強調し、
前記第１の変換回路は、前記第ｎフレーム期間の表示データの値が前記第（ｎ−１）フレーム期間の表示データの値より小さく、かつ前記第ｎフレーム期間の前記第１表示データと前記第２表示データの他方が最小値である場合に、前記第１表示データと前記第２表示データの一方を強調することを特徴とする請求項５に記載の表示装置。
【請求項１０】
１チップの記憶回路と、
前記記憶回路への前記表示データの読み書きを制御する１チップの制御回路とを備え、
前記制御回路は、前記第（ｎ−１）フレーム期間の表示データを前記記憶回路へ書き込み、１フレーム期間後に前記第（ｎ−１）フレーム期間の表示データを前記記憶回路から読み出し、
前記制御回路は、１フレーム分の表示データを前記記録回路へ書き込み、１フレーム期間に２回前記１フレーム分の表示データを前記記憶回路から読み出すことを特徴とする請求項５に記載の表示装置。
【請求項１１】
前記第１の変換回路は、
前記フレーム周期で前記表示データを入力し、前記第ｎフレーム期間内の前記第１期間と前記第２期間の各々に前記表示データを出力する倍速化回路と、
前記第１期間の前記表示データと前記第２期間の前記表示データの各々について定義された規則に従って、前記第（ｎ−１）フレーム期間の表示データの値と前記第ｎフレーム期間の表示データの値とに応じて、前記倍速化回路からの前記第１期間の前記表示データと前記第２期間の前記表示データの各々を強調する強調回路とを備えることを特徴とする請求項５に記載の表示装置。
【請求項１２】
前記第１の変換回路は、
前記第（ｎ−１）フレーム期間の表示データの値と前記第ｎフレーム期間の表示データの値とに応じて、前記第ｎフレーム期間の前記表示データを強調する強調回路と、
前記強調回路からの前記第ｎフレーム期間の表示データを入力し、前記第ｎフレーム期間内の前記第１期間と前記第２期間の各々に前記表示データを出力する倍速化回路とを備えることを特徴とする請求項５に記載の表示装置。
【請求項１３】
前記第１の変換回路は、前記第（ｎ−１）フレーム期間の表示データから前記第ｎフレーム期間の表示データへの変化分に応じて前記第１期間の前記表示データと前記第２期間の前記表示データの各々について定義された規則に従って、前記第ｎフレーム期間の前記第１期間の前記表示データと前記第２期間の前記表示データの各々を変換することを特徴とする請求項５に記載の表示装置。
【請求項１４】
１フレーム期間にｍ個（ｍは２以上の整数）の表示データを時分割で表示することにより、前記１フレーム期間の入力表示データに応じた輝度を実現する表示装置において、
前記ｍ個の表示データの少なくとも１つは、表示データのダイナミックレンジの上限値であり、
前記ｍ個の表示データの少なくとも他の１つは、フレーム間で入力表示データが変化した場合に変化することを特徴とする表示装置。
【請求項１５】
前記ｍ個の表示データの少なくとも他の１つは、フレーム間の入力表示データの変化に伴う前記画素における輝度不足分を補償するよう、増加することを特徴とする請求項１４に記載の表示装置。
【請求項１６】
前記ｍ個の表示データの少なくとも他の１つは、フレーム間で入力表示データの値が増加した場合に変化し、フレーム間で入力表示データの値が減少した場合に変化せず、
前記ｍ個の表示データの少なくとも１つは、フレーム間で入力表示データの値が減少した場合に変化することを特徴とする請求項１４に記載の表示装置。
【請求項１７】
前記ｍ個の表示データの少なくとも１つは、フレーム間の入力表示データの変化に伴う前記画素における輝度過剰分を補償するよう、減少することを特徴とする請求項１６に記載の表示装置
【請求項１８】
前記入力表示データが前記所定値又は所定範囲より大きい場合に、前記ｍ個の表示データの少なくとも１つは、前記表示データのダイナミックレンジの上限値であり、前記ｍ個の表示データの少なくとも他の１つは、フレーム間で入力表示データが変化した場合に変化し、
前記入力表示データが前記所定値又は所定範囲より小さい場合に、前記ｍ個の表示データの少なくとも他の１つは、前記表示データのダイナミックレンジの下限値であり、前記ｍ個の表示データの少なくとも１つは、フレーム間で入力表示データが変化した場合に変化することを特徴とする請求項１４に記載の表示装置。
【請求項１９】
前記入力表示データが前記所定値又は所定範囲より小さい場合に、前記ｍ個の表示データの少なくとも他の１つは、フレーム間で入力表示データの値が増加した場合に変化し、前記ｍ個の表示データの少なくとも１つは、フレーム間で入力表示データの値が減少した場合に変化することを特徴とする請求項１８に記載の表示装置。
【請求項２０】
前記ｍ個の表示データの少なくとも他の１つは、前記入力表示データに応じた値であり、さらに、フレーム間で入力表示データが変化しない場合に変化しないことを特徴とする請求項１４に記載の表示装置。
【請求項２１】
１フレーム期間内の第１期間に第１表示データを表示し前記１フレーム期間内の第２期間に第２表示データを表示することにより、前記１フレーム期間の入力表示データに応じた輝度を実現する表示装置において、
前記第１表示データは、白階調であり、
前記第２表示データは、フレーム間で入力表示データが変化した場合に変化することを特徴とする表示装置。
【請求項２２】
前記第２表示データは、フレーム間の入力表示データの変化に伴う前記画素における輝度不足分を補償するよう、増加することを特徴とする請求項２１に記載の表示装置。
【請求項２３】
前記第２表示データは、フレーム間で入力表示データの値が増加した場合に変化し、フレーム間で入力表示データの値が減少した場合に変化せず、
前記第１表示データは、フレーム間で入力表示データの値が減少した場合に変化することを特徴とする請求項２１に記載の表示装置。
【請求項２４】
前記第１表示データは、フレーム間で入力表示データの値が減少した場合に、フレーム間の入力表示データの変化に伴う前記画素における輝度過剰分を補償するよう、減少することを特徴とする請求項２３に記載の表示装置
【請求項２５】
前記入力表示データが前記所定値又は所定範囲より大きい場合に、前記第１表示データは、白階調であり、前記第２表示データは、フレーム間で入力表示データが変化した場合に変化し、
前記入力表示データが前記所定値又は所定範囲より小さい場合に、前記第２表示データは、黒階調であり、前記第１表示データは、フレーム間で入力表示データが変化した場合に変化することを特徴とする請求項２１に記載の表示装置。
【請求項２６】
前記第２表示データは、前記入力表示データが前記所定値又は所定範囲より小さくかつフレーム間で入力表示データの値が増加した場合に変化し、
前記第１表示データは、前記入力表示データが前記所定値又は所定範囲より小さくかつフレーム間で入力表示データの値が減少した場合に変化することを特徴とする請求項２５に記載の表示装置。
【請求項２７】
前記第２表示データは、前記第１表示データが白階調である場合に、前記入力表示データに応じた階調であり、さらに、フレーム間で入力表示データが変化しない場合に変化しないことを特徴とする請求項２１に記載の表示装置。
【請求項２８】
１フレーム期間内の第１期間に第１表示データを表示し前記１フレーム期間内の第２期間に第２表示データを表示することにより、前記１フレーム期間の入力表示データに応じた輝度を実現する表示装置において、
前記第１表示データと前記第２表示データの何れか一方は、何れか他方が黒階調である場合に、前記入力表示データに応じた階調であり、
前記何れか他方は、前記何れか一方が白階調である場合に、前記入力表示データに応じた階調であり、
前記何れか他方は、前記何れか一方が白階調でありかつフレーム間で入力表示データが変化した場合に変化することを特徴とする表示装置。
【請求項２９】
前記何れか一方は、前記何れか他方が黒階調でありかつフレーム間で入力表示データが変化した場合に変化することを特徴とする請求項２８の記載の表示装置。
【発明の詳細な説明】
【技術分野】
【０００１】
本発明は、液晶表示装置、有機EL(Electro Luminescence)ディスプレイやLCOS(Liquid Crystal On Silicon)ディスプレイのようなホールド型の表示装置及びその駆動方法に係り、特に動画の表示に適した表示装置及びその駆動方法に関する。
【背景技術】
【０００２】
表示装置を特に動画表示の観点で分類した場合、インパルス型表示装置とホールド型表示装置に大別される。インパルス型表示装置とは、ブラウン管のように、画素は走査された期間だけ輝き、画素の輝度は走査直後から低下するタイプであり、ホールド型表示装置とは、液晶表示装置のように、表示データに基づく輝度を次の走査まで保持し続けるタイプである。
【０００３】
ホールド型表示装置の特徴としては、静止画の場合はちらつきのない良好な表示品質を得ることができるが、動画の場合には移動する物体の周囲がぼやけて見える、所謂動画ぼやけが発生し、表示品質が低下してしまう。この動画ぼやけの発生要因は、物体の移動に伴い視線を移動する際、輝度のホールドされた表示画像に対して移動前後の表示イメージを観測者が補間する、所謂網膜残像に起因するため、表示装置の応答速度をどれだけ向上させても動画ぼやけは完全に解消しない。
【０００４】
ホールド型表示装置の動画ぼやけを解決する技術として、例えば特許文献１に開示されているように、連続する表示データの間にブランキングデータ（黒表示データ）を挿入する技術（以下、黒表示データ挿入方式と略す）、つまり、１フレーム期間に表示データとブランキングデータを表示する技術がある。
【０００５】
また、黒表示データを挿入する技術としては、例えば特許文献２に記載のように、ホールド型の表示装置において、画素に所望の画素値を書き込む際、実効的な書込をフレーム期間中の一部期間に集中して行い、その際、前記の一部期間における書込で視覚上所望の画素値が実現されるよう、一部期間における書込値を所望の画素値よりも高く設定し、一部期間以外では画素値の書込値を相対的に低くなるため、結果的にインパルス型表示装置に似た動画像の視認性を得る方法が知られている。当該技術では、フレーム期間をｍ分割して各期間を第１期間〜第ｍ期間と表記するとき（ｍは２以上の整数）、画素に書き込むべき所望の画素値をｍ倍にして第１期間に書込み、第２期間以降では０を書込む手段を備える。更にまた同表示装置では、ｍ倍した画素値が表示装置の表示可能なレンジを超えたとき、第１期間ではレンジの上限値を画素に書込み、書込み切れなかった超過分を第２期間の到来を待って画素に書込み、以下、第ｉ（２≦ｉ≦ｍ−１）期間で書き込みきれなかった超過分を順次第ｉ＋１期間の到来を待って書き込むことで、動画像の視認性を改善することができる。以下、本願明細書においては、この駆動方式をフレーム分割駆動と定義する。
【０００６】
また、液晶表示装置においては、液晶素子の応答速度が遅いことに起因する動画ぼやけも発生する。このような液晶の応答速度の問題を解決するために、１フレーム前の入力画像信号と現フレームの入力画像信号の差分に応じて、現フレームの入力画像信号の階調が１フレーム前の入力画像信号の階調よりも高くなる（明るくなる）場合に、現フレームの入力画像信号に対する階調電圧より高い駆動電圧を液晶表示パネルに供給し、現フレームの入力画像信号の階調が１フレーム前の入力画像信号の階調よりも低くなる（暗くなる）場合に、現フレームの入力画像信号に対する階調電圧より低い駆動電圧を液晶表示パネルに供給する駆動方法が知られている（特許文献３）。以下、本願明細書においては、この駆動方式を強調駆動と定義する。
【特許文献１】特開2003-280599号公報
【特許文献２】特開2004-240317号公報
【特許文献３】特開平4-365094号公報
【発明の開示】
【発明が解決しようとする課題】
【０００７】
以下、本願明細書においては、フレーム分割駆動においてｍ分割したフレームの各々をフィールドと定義する。フレーム分割駆動においては、高階調側の所望の階調を表示する場合、最高階調のフィールドと、それより低い階調のフィールドとを組合せて、入力画像信号に応じた所望の階調を表示する。このとき、最高階調のフィールドには、強調駆動が適用できない。なぜなら、最高階調を超過しての強調は行なえないためである。一方、低階調側の所望の階調を表示する場合、最低階調のフィールドとそれより高い階調のフィールドとを組合せて、入力画像信号に応じた所望の階調を表示する。このとき、最低階調のフィールドでは強調駆動が行なえない。なぜなら、最低階調を下回っての強調は行なえないためである。このように、フレーム分割駆動に、強調駆動をそのまま適用するのは困難である。
【０００８】
本発明の目的は、１フレーム期間内に複数の表示データを表示する表示装置の画素における表示信号の書き込み期間の短縮に伴う画素の応答速度の遅延又は輝度不足を低減することにより、動画ぼやけを低減し、動画像の画質を向上した表示装置を提供することにある。
【課題を解決するための手段】
【０００９】
本発明は、１フレーム期間の表示データを入力し、第（ｎ−１）（ｎは１以上の整数）フレーム期間の表示データの値と第ｎフレーム期間の表示データの値とに応じて第ｎフレーム期間の表示データを強調し、１フレーム期間内のｍ（ｍは２以上の整数）個の期間の各々に応じて、強調されたｍ個の表示データを出力する第１の変換回路（例えば、倍速化回路と強調回路）と、画素においてｍ個の表示データにより１フレーム期間に入力された表示データに応じた輝度が生じるように、強調されたｍ個の表示データの各々を変換する第２の変換回路（例えば、フィールド変換回路）とを設けた。
【００１０】
そして、１フレーム期間にｍ個の表示データを時分割で表示することにより、１フレーム期間の入力表示データに応じた輝度を実現する表示装置において、ｍ個の表示データの少なくとも１つが表示データのダイナミックレンジの上限値でありかつフレーム間で入力表示データが変化した場合に、ｍ個の表示データの少なくとも他の１つを変化させることとした。
【発明の効果】
【００１１】
本発明によれば、１フレーム期間内に複数の表示データを表示する表示装置の画素における表示信号の書き込み期間の短縮に伴う画素の応答速度の遅延又は輝度不足を低減することにより、動画ぼやけを低減し、動画像の画質を向上することができる。つまり、ホールド型の表示装置に対しフレーム分割駆動を適用することで、インパルス型表示装置の発光特性を実現し、動画ぼやけの少ない良好な表示品質を得ることができる。さらに、強調駆動を用いることにより、見かけの輝度応答に要する時間を短縮し、さらに動画ぼやけの少ない良好な表示品質を得ることができる。
【００１２】
また、本発明によれば、フレーム分割駆動と強調駆動とを備えた表示装置において、フレームを分割したフィールドのそれぞれに対し個別に強調駆動を制御することで、偽の輪郭線や色ズレの発生を抑え、良好な表示品質を得ることができる。
【発明を実施するための最良の形態】
【００１３】
図１（ａ）は、入力表示データの変化の様子の例を示すグラフである。横軸はフレーム（すなわち時間）を示す。１フレームの期間は、例えばテレビ用のＮＴＳＣ信号では１６．６ｍｓとなる。このように表示装置の入力表示データは１フレーム期間を単位として変化する。縦軸は入力表示データの階調を示す。入力表示データと階調は、１対１に対応する。階調Ｌｍａｘは表示装置で表示可能な最大輝度に相当する階調であり、階調Ｌｍｉｎは表示装置で表示可能な最低輝度に相当する階調である。最大輝度に相当する階調は、表示データの最大値、つまり表示データのダイナミックレンジの上限値であり、最小輝度に相当する階調は、表示データの最小値、つまり表示データのダイナミックレンジの下限値である。但し、表示データと輝度の関係は逆であってもよい。
【００１４】
図１（ａ）では、第（ｎ−１）フレームでは階調Ｌｐであり、第ｎフレームからは階調Ｌｑとなり、第（ｎ＋３）フレームからは再度階調Ｌｐとなるように変化する入力表示データの例を示している。ｎは、１以上の整数である。このような入力表示データに対し、フレーム分割駆動ではない表示装置では、第（ｎ−１）フレームでは階調Ｌｐに相当する輝度を表示するよう階調電圧を供給し、第ｎフレームからは階調Ｌｑに相当する輝度を表示するよう階調電圧を供給し、第（ｎ＋３）フレームからは再度階調Ｌｐに相当する輝度を表示するように階調電圧を供給する。以下、本願明細書においては、この例のようにフレーム単位に入力された入力表示データによって、フレーム単位に表示装置を駆動する駆動方法を通常駆動と定義する。
【００１５】
次にフレーム分割駆動について説明する。
【００１６】
図１（ｂ）は、図１（ａ）の入力表示データに対して、フレーム分割駆動を実施した場合の表示装置の出力表示データの変化の様子の例を示すグラフである。この図１（ｂ）では、１フレームを２つのＡフィールド並びにＢフィールドに分割した例について図示している。Ａフィールドは、相対的に高階調つまり高輝度の表示データであり、Ｂフィールドは、相対的に低階調つまり低輝度の表示データである。ＡフィールドとＢフィールドの階調関係つまり輝度関係は逆であってもよい。１フレーム期間で高階調（高輝度）の表示データと低階調（低輝度）の表示データを表示することにより、外部から入力される表示データに応じた階調（輝度）を擬似的に実現する。よって、Ａフィールドの階調（輝度）は、外部から入力される１フレームの表示データの階調又は輝度以上であり、Ｂフィールドの階調（輝度）は、外部から入力される１フレームの表示データの階調又は輝度以下である。特に、外部から入力される１フレームの表示データの階調又は輝度が相対的に高い場合、Ａフィールドの階調（輝度）は最高階調（最高輝度）であるのが好ましく、外部から入力される１フレームの表示データの階調又は輝度が相対的に低い場合、Ｂフィールドの階調（輝度）は最低階調（最低輝度）であるのが好ましい。
【００１７】
例えば階調Ｌｐの入力表示データに対しては、Ａフィールドで階調Ｌｐｈを表示し、Ｂフィールドでは階調Ｌｍｉｎを表示することで、１フレーム期間で階調Ｌｐに相当する輝度を観測者が知覚できるように表示装置を駆動する。階調Ｌｐｈは、階調Ｌｐ以上の階調である。一方、階調Ｌｑの入力表示データに対しては、Ａフィールドで階調Ｌｍａｘを表示し、Ｂフィールドでは階調Ｌｑｌを表示することで、１フレーム期間で階調Ｌｑに相当する輝度を観測者が知覚できるように表示装置を表示する。階調Ｌｑｌは、階調Ｌｑ以下の階調である。なお、フレーム分割駆動では、フレームをフィールドに分割する際に、フレームメモリを使用するのが好ましい。以上説明したように表示装置を駆動することで、フレーム分割駆動ではホールド型の表示装置において、インパルス型の表示を実現する。
【００１８】
これに対し、通常駆動並びにフレーム分割駆動それぞれに強調駆動を組合せた表示装置の駆動方法を示す。
【００１９】
図２（ａ）は、図１（ａ）に示した入力表示データに強調駆動を組合せた場合の表示装置の出力表示データの変化の様子の例を示すグラフである。
【００２０】
図２（ａ）において、強調処理によるデータの変化を矢印記号にて示した。第ｎフレームにおいて階調がＬｐからＬｑに変化しているため、この変化を強調するために強調データ（補正データ）を付加（補正）している。また、第（ｎ＋３）フレームにおいて階調がＬｑからＬｐに変化しているため、この変化を強調するために強調処理を付加している。なお、強調駆動では、入力表示データの変化を検知するために、フレームメモリを使用するのが好ましい。以上説明したように、強調駆動では、入力表示データに強調処理を施した出力表示データを用いて、表示パネルを駆動することで、見かけの応答速度を向上させている。また、強調駆動では、強調データを多少大きくするとフレーム間の表示データの変化に伴う輝度不足分も補うことができるため、見かけ上、入力表示データに応じた所望階調（輝度）を表示することもできる。
【００２１】
次に、フレーム分割駆動に強調駆動を組合せた場合の例を示す。
【００２２】
図２（ｂ）は、図１（ａ）に示した入力表示データにフレーム分割駆動と強調駆動を施した場合の例である。
【００２３】
フレーム分割駆動に対して強調駆動を単に組合せると、１フィールド前の表示データと現フィールドの表示データの差分に応じて現フィールドの表示データの階調を大きく又は小さくする。フレーム分割駆動では、入力表示データに変化がない場合でも、１フレーム内で異なる階調のフィールドを使用するため、多くの場合で表示パネルを駆動するデータ又は表示パネルへ供給する階調電圧は、フィールド毎に変化する。このような入力表示データ列にそのまま強調駆動を適用すると、フィールド毎にデータを強調してしまう。具体的には、図２（ｂ）中の矢印記号にて示したように、階調の増加方向の強調データ（補正データが加算された現フィールドの表示データ）と減少方向の強調データ（補正データが減算された現フィールドの表示データ）を交互に付加する構成となる。
【００２４】
ここで前記のように、フレーム分割駆動では階調Ｌｑの入力表示データに相当する輝度を表示するために、Ａフィールドで階調Ｌｍａｘを表示し、Ｂフィールドで階調Ｌｑｌを表示するように駆動する。このとき、Ａフィールドの階調Ｌｍａｘに強調駆動のための補正データを付加しようとしても、表示装置で表示可能な最高階調を上回ってしまうため、実際には表示できない。一方、Ｂフィールドの階調Ｌｑｌには強調駆動は適用可能である。これにより、ＡフィールドとＢフィールドの階調のバランスが崩れ、入力表示データに応じた所望の階調が表示されず、その結果、本来存在しない偽の輪郭線や色ズレなどが知覚されてしまう。同様に、フレーム分割駆動では階調Ｌｐを表すために、Ａフィールドで階調Ｌｐｈを表示し、Ｂフィールドで階調Ｌｍｉｎを表示するように駆動する。このとき、Ｂフィールドの階調Ｌｍｉｎに強調駆動のためのデータを付加しようとしても、表示装置で表示可能な最小階調を下回ってしまうため、実際には表示できない。一方、Ａフィールドの階調Ｌｐｈには強調駆動は適用可能である。これにより、ＡフィールドとＢフィールドの階調のバランスが崩れ、入力表示データに応じた所望の階調が表示されず、その結果、本来存在しない偽の輪郭線や色ズレなどが知覚されてしまう。また、フレーム分割処理を実施した後に強調処理を実施するという処理手順となるため、フレームメモリはフレーム分割処理用の１フレームメモリと強調処理用の１フレームメモリとを、それぞれ別個に用意する必要がある。
【００２５】
そこで、本発明では、以下のようにフィールド分割駆動と強調駆動を用いる。
【００２６】
図２（ｃ）は、図１（ａ）の入力表示データに対して、本発明を適用した表示装置の出力表示データの例を示す図である。
【００２７】
まず、図１（ａ）の入力表示データに対し、フィールド分割処理を施す。このとき、フィールド分割処理を施した入力表示データは前述のとおり図１（ｂ）のグラフのようになる。ここでは１フレームをＡフィールドとＢフィールドの２つのフィールドに２分割する例を示した。図２（ｃ）において、強調処理によるデータの変化を矢印記号にて示した。ここで、小さい階調から大きい階調へ入力表示データが変化する場合、つまり画素が発する輝度が低い輝度から高い輝度へ変化する場合、つまり明るくなる場合について説明する。入力表示データは、図１（ａ）に示したとおり、第（ｎ−１）フレームでは階調Ｌｐであり、第ｎフレームでは階調Ｌｑである。
【００２８】
上記フィールド分割駆動により、表示パネルへの出力表示データは、第（ｎ−１）フレームのＡフィールドでは階調Ｌｐｈ、第（ｎ−１）フレームのＢフィールドでは階調Ｌｍｉｎとなる。また第ｎフレームのＡフィールドでは階調Ｌｍａｘとなり、第ｎフレームのＢフィールドでは階調Ｌｑｌとなる。ここで、入力表示データは第（ｎ−１）フレームの階調Ｌｐから、第ｎフレームの階調Ｌｑへと変化していることに着目し、強調処理を施す。このとき、第ｎフレームのＡフィールドでは階調Ｌｍａｘとなり、これ以上大きな階調とすることはできない。そこで、第ｎフレームのＡフィールドの階調を変化させる代りに第ｎフレームのＢフィールドの階調をＬｑｌを変化させる。このとき階調Ｌｑｌを変化させて、例えば階調Ｌｑｌよりも大きい階調を出力する。このようにすることで、第ｎフレームにおいて表示装置の観測者が知覚する輝度は、階調ＬｍａｘのＡフィールドと階調Ｌｑｌに強調処理を施したＢフィールドの輝度を組合せた輝度となるため、結果的に、入力表示データの輝度変化を強調する駆動を施すことが可能となる。
【００２９】
図２（ｂ）に示した強調駆動では、第ｎフレームのＡフィールドにＬｍａｘよりも大きい（表示可能範囲を超える）階調を出力し、第ｎフレームのＢフレームに階調Ｌｑｌよりも小さい階調を出力するように制御が働くのに対して、図２（ｃ）に示した本発明の強調駆動は、第ｎフレームのＡフィールドの階調はＬｍａｘのままで、第ｎフレームのＢフレームに階調Ｌｑｌよりも大きい階調を出力するように制御が働く点が異なる。
【００３０】
続いて、図２（ｃ）において、大きい階調から小さい階調へ入力表示データが変化する場合についても同様に説明する。入力表示データは、第（ｎ＋２）フレームでは階調Ｌｑであり、第（ｎ＋３）フレームでは階調Ｌｐである。上記フィールド分割駆動により、表示パネルへの出力表示データは、第（ｎ＋２）フレームのＡフィールドでは階調Ｌｍａｘ、第（ｎ＋２）フレームのＢフィールドでは階調Ｌｑｌとなる。また第（ｎ＋３）フレームのＡフィールドでは階調Ｌｐｈとなり、第（ｎ＋３）フレームのＢフィールドでは階調Ｌｍｉｎとなる。ここで、入力表示データは第（ｎ＋２）フレームの階調Ｌｑから、第（ｎ＋３）フレームの階調Ｌｐへと変化していることに着目し、強調処理を施す。このとき、第（ｎ＋３）フレームのＢフィールドでは階調Ｌｍｉｎとなり、これ以上小さな階調とすることはできない。そこで、第（ｎ＋３）フレームのＢフィールドの階調を変化させる代りに第（ｎ＋３）フレームのＡフィールドの階調をＬｐｈから変化させる。このとき階調Ｌｐｈを変化させて例えば階調Ｌｐｈよりも小さい階調を出力する。このようにすることで、第（ｎ＋３）フレームにおいて表示装置の観測者が知覚する輝度は、階調ＬｍｉｎのＢフィールドと階調Ｌｐｈに強調処理を施したＡフィールドの輝度を組合せた輝度となるため、結果的に、入力表示データの輝度変化を強調する駆動を施すことが可能となる。
【００３１】
図２（ｂ）に示した強調駆動では、第（ｎ＋３）フレームのＢフィールドにＬｍｉｎよりも小さい（表示可能範囲を超える）階調を出力し、第（ｎ＋３）フレームのＡフレームに階調Ｌｐｈよりも小さい階調を出力するように制御が働くのに対して、図２（ｃ）に示した本発明の強調駆動は、第（ｎ＋３）フレームのＢフィールドの階調はＬｍｉｎのままで、第（ｎ+３）フレームのＡフレームに階調Ｌｐｈよりも小さい階調を出力するように制御が働く点が異なる。
【００３２】
図２（ｃ）は、前記のとおり、１フレーム期間を、Ａ、Ｂ２つのフィールド期間に分割した例を示している。このとき、分割する時間は等分でなくてもよい。すなわち、Ａフィールドのフィールド期間とＢフィールドのフィールド期間は等しくなくてもよい。図２（ｃ）の例では、Ａフィールドの期間とＢフィールドの期間の比率を、α：１−αとした例を示した（ただし、０＜α＜１）。ここで、前記強調駆動による強調制御は、前記フィールド毎にフィールド期間が異なることを考慮してそれぞれのフィールド用に個別に定める構成とすることが望ましい。各フィールド期間が長くなるに従って、画素への階調電圧の書込み時間が長くなるため、強調制御の量は小さくするのが好ましい。
【００３３】
続いて、本発明の駆動方法を実現するための具体的な実施例を説明する。
【００３４】
実施例１では、フレーム分割駆動を実現するための倍速化回路とフィールド変換回路との間に強調回路を配置するように構成した表示装置を提供する。
【００３５】
実施例２では、倍速化回路とフィールド変換回路とでフレーム分割処理を実施する前に強調回路を配置するように構成した表示装置を提供する。つまり、倍速化回路の処理と強調回路の処理の順序は、どちらが先であってもよい。よって、倍速化回路と強調回路を併せて変換回路としてもよい。
【実施例１】
【００３６】
以下、本発明の第一の実施例について、図３並びに図４を用いて説明する。
【００３７】
図３は、本発明の一実施形態を適用した表示装置の構成例を示す図である。図４は、本発明の一実施形態を適用した表示装置の動作例を示す図であり、図３に示した表示装置のタイミングチャートの例を示す。なお、以下の説明では、フレーム分割駆動において１フレームを、ＡフィールドとＢフィールドの２つのフィールドに２分割する例をとって説明する。但し、フレーム分割数を多くすると階調電圧の画素への書込み時間が短くなり所望の階調を得られなくなるため、フレーム分割数は２が好ましいが、フレーム分割数は３や４であってもよい。フレーム分割数は、ｍ（ｍは２以上の整数）である。表示装置は、フィールド分割駆動と強調駆動とを備え、両者の駆動を組合せても階調のバランスを崩すことなく良好な動画像表示を実現する。
【００３８】
表示装置は、タイミング生成回路340やデータ線駆動回路352、走査線駆動回路354を倍速で駆動するための倍速化回路310と、表示データを強調するための強調回路320と、１フレーム分の表示データをｍ個のフィールド分の表示データへ変換するためのフィールド変換回路330と、データ線駆動回路352や走査線駆動回路354を動作させるための制御信号を生成するタイミング生成回路340と、フレームメモリ361への表示データの書き込み及び読み出しを制御するためのフレームメモリ制御回路360と、表示データを一時的に保持するためのフレームメモリ361と、表示データを強調するための強調パラメータを選択するための強調パラメータ選択回路323と、フィールド変換パラメータ選択回路332と、各種設定パラメータを保持する設定パラメータ保持回路370と、記憶回路371と、液晶表示パネル350のデータ線に階調電圧（表示信号）を供給してデータ線を駆動するためのデータ線駆動回路352と、液晶表示パネル350の走査線に走査選択信号を供給して走査線を駆動するための走査線駆動回路354と、複数のデータ線と複数のデータ線に交差する複数の走査線と複数のデータ線と複数の走査線に接続されてマトリックス状に配列された複数の画素を備えた液晶表示パネル350と、階調電圧の基となる参照電圧を生成するための参照電圧生成回路356と、を備える。
【００３９】
表示装置は、入力表示データ302と入力制御信号群301の入力を受け付け、入力表示データ302や入力制御信号群301にフレーム分割駆動や強調駆動を適用して液晶表示パネル350を駆動する機能を備える。入力制御信号群301は、例えば1フレーム期間（１画面分を表示する期間）を規定する垂直同期信号、1水平走査期間（１ライン分を表示する期間）を規定する水平同期信号、表示データの有効期間を規定するデータ有効期間信号、及び表示データと同期した基準クロック信号等で構成する。入力表示データ302、入力制御信号群301は、外部システム（例えば、TV本体やPC本体、携帯電話本体などが挙げられる）から転送される。
【００４０】
倍速化回路310は、入力表示データ302のフレーム周波数に対し、フレーム周波数をｍ倍化した倍速化データ312を生成する回路である。より具体的には、倍速化回路310は、入力された入力表示データ302を順次フレームメモリ361に格納する。一方で、格納した１フレーム期間分のデータを読み出す際には、１フレーム期間をｍ分割した時間内、つまり、第１期間、第２の期間、第３の期間、・・・第ｍの期間のそれぞれに読み出す。１フレーム期間に同一表示データをｍ回読み出すことで、フレーム周波数のｍ倍化が実現できる。以下、ｍ＝２として、説明する。１回目に読み出した入力表示データは、Ａフィールド用の倍速化データとして使用し、２回目に読み出した入力表示データはＢフィールド用の倍速化データとして用いる。
【００４１】
313はフレームメモリ361への書込みデータ、314はフレームメモリ361からの読出しデータである。また倍速化回路310は、フィールド判定信号315と倍速制御信号群311を生成する。フィールド判定信号315は、倍速化データ312に同期しており、倍速化データ312がAフィールド用の倍速化データであるのか、Bフィールド用の倍速化データであるのかを識別するために用いる。倍速制御信号群311は、例えば1フィールド期間を規定する倍速垂直同期信号、1水平走査期間を規定する倍速水平同期信号、倍速化データの有効期間を規定する倍速データ有効期間信号、及び倍速化データ312と同期した倍速クロック信号等で構成する。フレームメモリ制御回路360は、フレームメモリ361を制御する機能を備え、倍速化回路310と強調回路320とフレームメモリ360との間のデータ書込みアクセス群とデータ読出しアクセス群を調停する回路である。フレームメモリ361は、メモリ制御信号群362によって制御する。以上のように、本発明の表示装置では、フレームメモリ制御回路360を使用して倍速化処理と強調処理に必要なデータアクセスを共通化することができる。その結果、フレームメモリ360の容量ならびにアクセス量を削減することが可能となる。すなわち本発明の構成によれば、倍速化処理用と強調処理用とで専用のフレームメモリを別個に用意する構成に比べて、回路規模やチップ数を削減し、低コストに構成可能である。
【００４２】
フレームメモリ361は、少なくとも２フレーム分の表示データを格納できる容量を備えた記憶素子であるのが好ましく、メモリ制御信号群362に基づきデータの書込み、読出し処理を行う。フレームメモリ361としては、例えば各種のDRAM( Dynamic Random Access Memory )などを使用することができる。363はフレームメモリへの書込みデータ、364はフレームメモリからの読出しデータである。強調回路320は、強調駆動を実施するための強調データ321の生成を行なう回路であり、倍速化回路310から出力されたあるフレームの倍速化データ312を入力として受け付けると共に、倍速化データ312の入力と同期して、倍速化データ312の１フレーム前の倍速化データ322をフレームメモリ361から読み出すよう、フレームメモリ制御回路360へ指示する。322はフレームメモリ361からの読出しデータである。そして強調回路320は、倍速化データ312と、１フレーム期間前の倍速化データ322との関係から、予め定められた強調規則にのっとって、倍速化データ312に強調駆動のためのデータ変換を施して強調データ321を生成する。ここで強調規則は強調パラメータ324として強調回路320に入力する。強調パラメータセレクタ323は、強調回路320に与える強調パラメータ324を選択する回路である。フィールド判定信号315によってフィールドを識別し、各々のフィールド用のパラメータを選択する。強調パラメータＡ（325）は、Ａフィールド用の強調規則を定める。強調パラメータＢ（326）は、Ｂフィールド用の強調規則を定める。フレーム分割駆動によって１つのフレームをｍ個のフィールドに分割する場合は、それぞれのフィールド用にそれぞれ強調パラメータを用意するのが好ましい。強調規則は、フレームの分割数、倍速化データの値、１フレーム前の倍速化データの値、表示装置の環境温度、液晶表示パネルの温度、参照電圧の設定量、１フレーム期間の長さ、各フィールド期間の長さ、倍速化データの色、などの影響を考慮し、偽の輪郭や色ズレなどが発生せず良好な表示品質が得られるように適切に決定する。強調規則は、上記各種の条件をパラメータとした演算式によって規定しても良いし、上記各種の条件を索引としたルックアップテーブルを参照することによって規定しても良い。
【００４３】
フィールド変換回路330は、フレーム分割駆動を実施するためのフィールドデータの生成を行なう回路であり、強調回路320から出力された各フィールド用の強調データ321を入力として受け付け、強調データを予め定められたフィールド変換規則にのっとって、各フィールド用のフィールド変換データ331に変換する。ここでフィールド変換規則は、フィールド変換パラメータ333としてフィールド変換回路330に入力する。フィールド変換パラメータセレクタ332は、フィールド変換回路330に与えるフィールド変換パラメータ333を選択する回路である。フィールド判定信号315によってフィールドを識別し、各々のフィールド用のパラメータを選択する。フィールド変換パラメータＡ（334）は、Ａフィールド用のフィールド変換規則を定める。フィールド変換パラメータＢ（335）は、Ｂフィールド用のフィールド変換規則を定める。フレーム分割駆動によって１つのフレームをｍ個のフィールドに分割する場合は、それぞれのフィールド用にそれぞれフィールド変換パラメータを用意するのが好ましい。フィールド変換規則は、フレームの分割数、強調データの値、表示装置の環境温度、液晶表示パネルの温度、参照電圧の設定量、１フレーム期間の長さ、各フィールド期間の長さ、強調データの色、などの影響を考慮し、偽の輪郭や色ズレなどが発生せず良好な表示品質が得られるように適切に決定するのが好ましい。フィールド変換規則は、上記各種の条件をパラメータとした演算式によって規定しても良いし、上記各種の条件を索引としたルックアップテーブルを参照することによって規定しても良い。
【００４４】
タイミング生成回路340は、データ線駆動回路352を制御するためのデータ線駆動回路制御信号群341と、出力表示データ342と、走査線駆動回路354を制御するための走査線駆動回路制御信号群343と、を生成する回路である。タイミング生成回路340は、倍速化回路310から出力された倍速制御信号群311を入力として受け付けると共に、フィールド変換回路330から出力されたフィールド変換データ331を入力として受け付ける。そして、前記倍速制御信号群311と前記フィールド変換データ331とから、データ線駆動回路制御信号群341と、出力表示データ342と、走査線駆動回路制御信号群343とを生成する。
【００４５】
設定パラメータ保持回路370は、強調回路320やフィールド変換回路330で使用する各種設定パラメータを保持する回路である。また前記各種設定パラメータを外部の記憶回路371から読出す機能も備える。設定パラメータ保持回路370は、例えばレジスタファイルや各種RAM(Random Access Memory)などの記憶素子群と、記憶回路371の制御回路とを備える。372は記憶回路371の制御信号群であり、373は記憶回路371から読出した各種設定パラメータである。記憶回路371は、前記各種設定パラメータを記憶しておくために使用する回路である。例えばROM(Read-Only Memory)や、EEPROM（Electrically Erasable Programmable ROM）あるいはフラッシュメモリなどの各種不揮発メモリ等を使用することができる。
【００４６】
データ線駆動回路制御信号群341は、例えば表示データに基づく階調電圧の出力タイミングを規定する出力タイミング信号とソース電圧の極性を決定する交流化信号、表示データと同期したクロック信号等で構成する。走査線駆動回路制御信号群343は、例えば1ラインの走査期間を規定するシフト信号、先頭ラインの走査開始を規定する垂直スタート信号等で構成する。357は参照電圧である。データ線駆動回路352は、参照電圧357から表示階調の数に対応する電位を生成すると共に、出力表示データ342に対応した1レベルの電位を選択し、液晶表示パネル350へのデータ電圧として印加する。353はデータ線駆動回路にて生成されたデータ電圧である。355は走査線選択信号である。走査線駆動回路354は走査線駆動回路制御信号群354に基づき走査線選択信号355を生成し、液晶表示パネル350の走査線へ出力する。
【００４７】
351は液晶表示パネルの1画素の模式図である。液晶表示パネル350の1画素は、ソース電極、ゲート電極、ドレイン電極からなるTFT（Thin Film Transistor）と、液晶層、対向電極から構成される。走査信号をゲート電極に印加することでにTFTのスイッチング動作を行い、TFTが開状態ではデータ電圧がドレイン電極を介して液晶層の一方と接続したソース電極に書き込まれ、閉状態ではソース電極に書き込まれた電圧が保持される。このソース電極の電圧をVsとし、対向電極電圧をVCOMとする。液晶層は、ソース電極電圧Vsと対向電極電圧VCOMの電位差に基づき偏光方向を変えると共に、液晶層の上下に配置された偏光板を介することで、裏面に配置されたバックライトからの透過光量が変化し階調表示を行う。
【００４８】
次に、図４を用いて本発明の表示装置の各部の動作について説明する。
【００４９】
図４は、図３に示した表示装置の動作のタイミングチャートの例を示す図である。横軸は時間を示す。図４の上段には表示装置各部の信号波形群の例を示した。
【００５０】
まず、外部システムから入力表示データと入力制御信号群が入力される。図４では、入力制御信号群の入力垂直同期信号を図示した。入力垂直同期信号は１フレーム期間を規定する信号である。図４において、記号Ｄ（ｎ）はｎフレームの入力表示データを示す。同様に、例えばＤ（ｎ−１）はｎ−１フレームの入力表示データを示す。入力表示データは、各フレームのデータが、１フレーム期間単位で、．．．Ｄ（ｎ−１）、Ｄ（ｎ）、Ｄ（ｎ＋１）．．．のように順次入力される。
【００５１】
次に、倍速化回路310によって、倍速化処理を実施する。倍速化回路310は、入力表示データ302をフレームメモリ361へ順次書込むよう、フレームメモリ制御回路360へ指示する。このときフレームメモリ361へ書込むデータの順序は、１フレーム期間単位で、．．．Ｄ（ｎ−１）、Ｄ（ｎ）、Ｄ（ｎ＋１）．．．のようになる。一方で、倍速化回路310は、フレームメモリ361に書込んだデータを読出すよう、フレームメモリ制御回路360へ指示する。このときフレームメモリ361から読出すデータの順序は、１フレーム期間を２分割した１フィールド期間を単位に、．．．Ｄ（ｎ−２）、Ｄ（ｎ−１）、Ｄ（ｎ−１）、Ｄ（ｎ）、Ｄ（ｎ）、Ｄ（ｎ＋１）．．．のようになる。そして、倍速化回路310は、フレームメモリ361から読出したデータを倍速化データ312として出力する。また、倍速化回路310は、フィールド判定信号315を生成する。フィールド判定信号315は、前記のとおりフィールドを判別するための信号である。本実施例では、１フレームをＡとＢの２つのフィールドに分割する例を示しているため、フィールド判定信号315は、フィールドＡを示す信号レベルと、フィールドＢを示す信号レベルの２つの値を１フィールド期間毎にトグルする信号で構成する。
【００５２】
続いて強調回路320によって倍速化データ312に対して強調処理を実施する。強調回路320は、倍速化回路310から出力された倍速化データ312を入力として受け付けると共に、倍速化データ312の入力と同期して、倍速化データの１フレーム前の入力表示データを、１フィールド期間でフレームメモリから読み出すよう、フレームメモリ制御回路360へ指示する。例えば倍速化回路310から第ｎフレームの倍速化データが入力されたときは、倍速化データと同期してフレームメモリ361から第（ｎ−１）フレームのデータを読出すよう、フレームメモリ制御回路360へ指示する。そして倍速化データ312と、フレームメモリ361から読出したデータ322と、強調パラメータセレクタ323においてフィールド判定信号315に基づいて適切に選択されて入力される強調パラメータ324とを用いて強調データ321を生成する。
【００５３】
図４において、記号ＥＡはＡフィールド用の強調パラメータＡを示し、記号ＥＢはＢフィールド用の強調パラメータＢを示す。図４において、記号ＥＡ（ｎ）は第ｎフレームのＡフィールドの強調データを示す。同様に、例えばＥＡ（ｎ−１）は第（ｎ−１）フレームのＡフィールドの強調データを示す。図４において、記号ＥＢ（ｎ）は第ｎフレームのＢフィールドの強調データを示す。同様に、例えばＥＢ（ｎ−１）は第（ｎ−１）フレームのＢフィールドの強調データを示す。例えば、倍速化データ312の順序が１フィールド期間を単位に、．．．Ｄ（ｎ−２）、Ｄ（ｎ−１）、Ｄ（ｎ−１）、Ｄ（ｎ）、Ｄ（ｎ）、Ｄ（ｎ＋１）．．．のように入力された場合、フレームメモリ361から、．．．Ｄ（ｎ−３）、Ｄ（ｎ−２）、Ｄ（ｎ−２）、Ｄ（ｎ−１）、Ｄ（ｎ−１）、Ｄ（ｎ）．．．のように読出す。このとき強調パラメータセレクタ323において、強調パラメータ324を、フィールド判定信号315に基づいて、．．．ＥＢ、ＥＡ、ＥＢ、ＥＡ、ＥＢ、ＥＡ、．．．のように選択し、強調回路320に入力する。これらの信号に基づいて強調処理を実施し、強調データ321を、．．．ＥＢ（ｎ−２）、ＥＡ（ｎ−１）、ＥＢ（ｎ−１）、ＥＡ（ｎ）、ＥＢ（ｎ）、ＥＡ（ｎ＋１）．．．のように生成し、出力する。
【００５４】
続いてフィールド変換回路330によって、前記強調データ321に対してフィールド変換処理を実施する。フィールド変換回路330は、強調回路320から出力された強調データ321を入力として受け付けると共に、フィールド変換パラメータセレクタ332においてフィールド判定信号315に基づいて適切に選択して入力されるフィールド変換パラメータ333とを用いてフィールド変換データ331を生成する。
【００５５】
図４において、記号ＦＡはＡフィールド用のフィールド変換パラメータＡを示し、記号ＦＢはＢフィールド用のフィールド変換パラメータＢを示す。図４において、記号ＦＡ・ＥＡ（ｎ）は第ｎフレームのＡフィールドの強調データに対してフィールド変換を施したデータを示す。同様に、例えばＦＡ・ＥＡ（ｎ−１）は第（ｎ−１）フレームのＡフィールドの強調データに対してフィールド変換を施したデータを示す。図４において、記号ＦＢ・ＥＢ（ｎ）は第ｎフレームのＢフィールドの強調データに対してフィールド変換を施したデータを示す。同様に、例えばＦＢ・ＥＢ（ｎ−１）は第（ｎ−１）フレームのＢフィールドの強調データに対してフィールド変換を施したデータを示す。例えば、強調データ321が．．．ＥＢ（ｎ−２）、ＥＡ（ｎ−１）、ＥＢ（ｎ−１）、ＥＡ（ｎ）、ＥＢ（ｎ）、ＥＡ（ｎ＋１）．．．のように入力された場合、フィールド変換パラメータを、フィールド変換パラメータセレクタ332において、フィールド判定信号315に基づいて．．．ＦＢ、ＦＡ、ＦＢ、ＦＡ、ＦＢ、ＦＡ、．．．のように選択し、フィールド変換回路330に入力する。これらの信号に基づいてフィールド変換処理を実施し、フィールド変換データ331を、、．．．ＦＢ・ＥＢ（ｎ−２）、ＦＡ・ＥＡ（ｎ−１）、ＦＢ・ＥＢ（ｎ−１）、ＦＡ・ＥＡ（ｎ）、ＦＢ・（ＥＢ（ｎ）、ＦＡ・ＥＡ（ｎ＋１）．．．のように生成し、出力する。
【００５６】
最後に、タイミング生成回路340において、フィールド変換データ331から出力表示データ342を生成する。また、タイミング生成回路340は、倍速化回路310で生成した倍速制御信号群311から、出力制御信号群341,343を生成する。図４では、出力制御信号群341,343の中から出力垂直同期信号を図示した。出力垂直同期信号は、１フィールド期間を規定する信号である。
【００５７】
図４の下段にはフレームメモリ361内のデータ量の推移のグラフを示した。横軸はフレーム（すなわち時間）であり、縦軸はデータ量である。1フレーム分のデータ量を１として表示した。
【００５８】
フレームメモリ361には各フレームのデータを各回路での処理に必要な期間だけ格納、保持する。不要になったフレームのデータは順次破棄するか、あるいは新しいフレームデータで上書きする。例えば第（ｎ−１）フレームのデータＤ（ｎ−１）に着目すると、第（ｎ−１）フレームのデータ入力が開始されると次第にフレームメモリ内のデータ量が増えていき、第（ｎ−１）フレームのデータ入力が終了した時点でちょうど１フレーム分の容量がフレームメモリ361に格納されることとなる。このとき、第（ｎ−１）フレームの後半期間においては、第（ｎ−１）フレームのデータの書込み操作と共に、倍速化処理のために第（ｎ−１）フレームのデータを倍速で読出す操作も実施している。続いて、第ｎフレームのデータが入力されている期間は、第（ｎ−１）フレームのデータを保持している。この間、フレームメモリ361内に格納された第（ｎ−１）フレームのデータ量に変動はない。このとき、第（ｎ−１）フレームのデータを保持していると共に、倍速化処理と強調処理のために、第（ｎ−１）フレームのデータを倍速で読出す操作も実施している。その後、第（ｎ＋１）フレームのデータが入力されている期間では、フレーム期間の前半は強調処理に使用するため、第（ｎ−１）フレームのデータを倍速で読出す。一方、以降は第（ｎ−１）フレームのデータは不要となる。よって第（ｎ−１）フレームのデータは、順次破棄ないし他のデータで上書きする。これにより、第（ｎ＋１）フレームの前半終了時点で、フレームメモリ361内の第（ｎ−１）フレームのデータ量は０となる。このように各フレームのデータは、書込み、保持、廃棄の３つの段階を踏み、合計２．５フレーム期間にわたってフレームメモリ361に格納する。以上述べた一連の操作は各フレーム毎に常時実行する。以上、各フレーム毎のフレームメモリ361内のデータ量の推移について説明した。
【００５９】
図４の最下段に、各フレームのデータ量の合計の推移をグラフで示した。このように、データ量に変動はあるが、合計のデータ量が２フレーム分を超えることはない。すなわち、フレームメモリ361の容量は少なくとも２フレーム分あれば、本発明の表示装置が実現できる。
【００６０】
図５は、本発明の表示装置のフィールド変換回路330乃至350において、フィールド変換処理を行なう際に用いるフィールド変換規則の例を示す図である。横軸にフィールド変換前のフィールド変換元データ、縦軸にフィールド変換後のフィールド変換後データをとった。実施例１では、フィールド変換元データは強調データ321に相当し、フィールド変換後データはフィールド変換データ331に相当する。図５において、Ａフィールド用の変換規則の例を太い実線で、Ｂフィールド用の変換規則の例を太い一点鎖線で示した。図５の例では、フィールド変換規則は大きく低階調領域（低輝度領域）と高階調領域（高輝度領域）の２つの領域に分けることができる。フィールド変換元データが階調Ｌｔｈより低い場合を低階調領域とし、階調Ｌｔｈより高い場合を高階調領域と呼ぶこととする。尚、液晶の場合は、低階調領域と高階調領域の境界の階調Ｌｔｈは、ＬｍａｘとＬｍｉｎの中心にはならず、中心よりもＬｍａｘ側となる。
【００６１】
低階調領域では、Ｂフィールドを階調Ｌｍｉｎに固定しつつ、１フレーム期間において所望の輝度が得られるようにＡフィールドのフィールド変換後データを選択する。例えば、フィールド変換元データがＬｐ（Ｌｐ＜Ｌｔｈ）であった場合、Ｂフィールドのフィールド変換データをＬｍｉｎとし、Ａフィールドのフィールド変換データはＬｐｈとする。ここで階調Ｌｐｈは、階調Ｌｍｉｎと階調Ｌｐｈを１フィールド期間ずつ表示することで、階調Ｌｑを１フレーム期間表示することに相当する輝度を得るように選択した階調である。
【００６２】
同様に、高階調領域では、Ａフィールドを階調Ｌｍａｘに固定しつつ、１フレーム期間において所望の輝度が得られるようにＢフィールドのフィールド変換後データを選択する。例えば、フィールド変換元データがＬｑ（Ｌｑ＞Ｌｔｈ）であった場合、Ａフィールドのフィールド変換データをＬｍａｘとし、Ｂフィールドのフィールド変換データはＬｑｌとする。ここで階調Ｌｑｌは、階調Ｌｑｌと階調Ｌｍａｘを１フィールド期間ずつ表示することで、階調Ｌｑを１フレーム表示することに相当する輝度を得るように選択した階調である。
【００６３】
階調Ｌｔｈを境界にして高階調領域と低階調領域の２つの領域に分けるフィールド変換規則の例について説明したが、フィールド変換規則は、より多くの領域に分ける構成としてもよい。あるいは、明確な領域を設けずに、滑らかに変化するようにフィールド変換規則を定めてもよい。この場合は、Ａフィールドのフィールド変換データがＬｍａｘより小さく、かつ、Ｂフィールドのフィールド変換データがＬｍｉｎより大きい状態もあり得る。１値を示す階調Ｌｔｈの代わりに、複数値を含む階調範囲を用いてもよい。
【００６４】
次に、本発明の実施例１の表示装置における強調規則について説明する。
【００６５】
図６（ａ）は、本発明の実施例１の表示装置の強調回路320において、強調処理を行なう際に用いる強調規則の例を示す図である。横軸に第ｎフレームの倍速化データＤ（ｎ）、縦軸に第（ｎ−１）フレームの倍速化データＤ（ｎ−１）をとった。図６（ａ）の強調規則は、図５に示したフィールド変換規則と密接に関係する。ここでは、図５のように階調Ｌｔｈによって２つの領域に分けるようにフィールド変換規則を定めた場合の強調規則の例について説明する。強調規則は、Ｄ（ｎ）とＤ（ｎ−１）の大小関係により、大きく３つの場合に分けることができる。
【００６６】
Ｄ（ｎ）＝Ｄ（ｎ−１）が成り立つ場合は、フレーム間で入力表示データの変化がない場合である。このときは強調処理を行なう必要がないため、強調処理量は０でよい。この条件が成り立つ場合をCase０とする。
【００６７】
Ｄ（ｎ）＞Ｄ（ｎ−１）が成り立つ場合は、フレーム間で階調が増加するように変化した場合である。このときは、階調が増加したことをより強調するように強調処理を施す。この場合の強調処理を立上り強調処理と呼ぶこととする。立上り強調処理は、Ｄ（ｎ）、Ｄ（ｎ−１）、Ｌｔｈの大小関係により更に３つの場合に分けることができる(Case１, Case２, Case３)。
【００６８】
Case１は、Ｄ（ｎ）＜ＬｔｈかつＤ（ｎ−１）＜Ｌｔｈの場合であり、Case２はＤ（ｎ）＞ＬｔｈかつＤ（ｎ−１）＜Ｌｔｈの場合であり、Case３はＤ（ｎ）＞ＬｔｈかつＤ（ｎ−１）＞Ｌｔｈの場合である。
【００６９】
Ｄ（ｎ）＜Ｄ（ｎ−１）が成り立つ場合は、フレーム間で階調が減少するように変化した場合である。このときは、階調が減少したことをより強調するように強調処理を施す。この場合の強調処理を立下り強調処理と呼ぶこととする。立下り強調処理は、Ｄ（ｎ）、Ｄ（ｎ−１）、Ｌｔｈの大小関係により更に３つの場合に分けることができる(Case４, Case５, Case６)。
【００７０】
Case４はＤ（ｎ）＜ＬｔｈかつＤ（ｎ−１）＜Ｌｔｈの場合であり、Case５はＤ（ｎ）＜ＬｔｈかつＤ（ｎ−１）＞Ｌｔｈの場合であり、Case６はＤ（ｎ）＞ＬｔｈかつＤ（ｎ−１）＞Ｌｔｈの場合である。
【００７１】
以上説明したように、強調規則はCase0〜6の7つのケースに分けることができる。ここで、前記7つのケースにおいて、それぞれの液晶素子の輝度の応答特性は必ずしも等しくない。例えば、立上り（階調増加変化）と立下り（階調減少変化）でも、液晶の応答速度が異なる。そのため、所望の強調処理を施すために強調規則は、前記フィールド変換規則と関係して、前記７つのケースにおいてそれぞれ適切に定める必要がある。例えば次のように強調規則を定めるとよい。
【００７２】
Case０では、強調の必要がないため、強調処理量は０である。（Ａフィールド強調処理量＝０、Ｂフィールド強調処理量＝０）。
【００７３】
Case１では、立上り強調処理を施す。このとき、動画表示品質を高めるためには、例えば、Ｄ（ｎ）のＢフィールドのフィールド変換データはＬｍｉｎに保ったまま、Ｄ（ｎ）のＡフィールドのフィールド変換データのみで立上り強調処理を施すように強調規則を定めるとよい。つまり、Ａフィールド強調処理量＞０、Ｂフィールド強調処理量＝０である。
【００７４】
Case２では、立上り強調処理を施す。このとき、Ｄ（ｎ）のＡフィールドのフィールド変換データはＬｍａｘであるため、立上り強調処理は施せない。よってＤ（ｎ）のＡフィールドのフィールド変換データはＬｍａｘに保ったまま、Ｄ（ｎ）のＢフィールドのフィールド変換データのみで立上り強調処理を施すように強調規則を定めるとよい。つまり、Ａフィールド強調処理量＝０、Ｂフィールド強調処理量＞０である。
【００７５】
Case３では、Case２と同様な理由により、Ｄ（ｎ）のＡフィールドのフィールド変換データはＬｍａｘに保ったまま、Ｄ（ｎ）のＢフィールドのフィールド変換データのみで立上り強調処理を施すように強調規則を定めるとよい。つまり、Ａフィールド強調処理量＝０、Ｂフィールド強調処理量＞０である。ただし、Case２とCase３では、Ｄ（ｎ−１）の輝度の表示方法が異なる、つまり、Case２ではＤ（ｎ−１）は低階調領域、Case３ではＤ（ｎ−１）は高階調領域であるため、Case２とCase３では異なった強調規則を適用できるように構成すると良い。
【００７６】
Case４では、立下り強調処理を施す。このとき、Ｄ（ｎ）のＢフィールドのフィールド変換データはＬｍｉｎであるため、立下り強調処理は施せない。よってＤ（ｎ）のＢフィールドのフィールド変換データはＬｍｉｎに保ったまま、Ｄ（ｎ）のＡフィールドのフィールド変換データのみで立下り強調処理を施すように強調規則を定めるとよい。つまり、Ａフィールド強調処理量＜０、Ｂフィールド強調処理量＝０である。
【００７７】
Case５では、Case４と同様な理由により、Ｄ（ｎ）のＢフィールドのフィールド変換データはＬｍｉｎに保ったまま、Ａフィールドのフィールド変換データのみで立下り強調処理を施すように強調規則を定めるとよい。つまり、Ａフィールド強調処理量＜０、Ｂフィールド強調処理量＝０である。ただし、Case４とCase５では、Ｄ（ｎ−１）の輝度の表示方法が異なる、つまり、Case４ではＤ（ｎ−１）は低階調領域、Case５ではＤ（ｎ−１）は高階調領域）であるため、Case４とCase５では異なった強調規則を適用できるように構成すると良い。
【００７８】
Case６では、立下り強調処理を施す。このとき、動画表示品質を高めるためには、例えばＡフィールドのフィールド変換データはＬｍａｘに保ったまま、Ｂフィールドのフィールド変換データのみで立下り強調処理を施すように強調規則を定めるとよい。つまり、Ａフィールド強調処理量＝０、Ｂフィールド強調処理量＜０である。
【００７９】
次に図６（ｂ）並びに図６（ｃ）を用いて具体的な例をあげてより詳細に説明する。図６（ｂ）並びに図６（ｃ）は、実施例１におけるＡフィールド用強調規則（上段）、Ｂフィールド用強調規則（下段）の例を強調処理量のグラフで示した模式図である。図６（ｂ）並びに図６（ｃ）の横軸には、Ｄ（ｎ）の値をとり、縦軸には強調処理量をとった。強調処理量は、Ｄ（ｎ）に対して強調処理を施す場合に強調データとして付加する値であり、正負の値とすることが可能である。
【００８０】
図６（ｂ）はＤ（ｎ−１）がある階調Ｌｓ（Ｌｓ＜Ｌｔｈ）であった場合について、Ｄ（ｎ）の値に応じて強調処理量をどのように定めるかの例を示す図である。前記のとおり、強調規則は７つのケースをとる。図６（ｂ）ではＤ（ｎ−１）＝Ｌｓであるから、強調規則は、Ｄ（ｎ）＜Ｌｓの場合はCase４、Ｄ（ｎ）＝Ｌｓの場合はCase０、Ｌｓ＜Ｄ（ｎ）＜Ｌｔｈの場合はCase１、Ｌｔｈ＜Ｄ（ｎ）の場合はCase２となる。
【００８１】
図６（ｃ）はＤ（ｎ−１）がある階調Ｌｔ（Ｌｔ＞Ｌｔｈ）であった場合について、Ｄ（ｎ）の値に応じて強調処理量をどのように定めるかの例を示す図である。前記のとおり、強調規則は７つのケースをとる。図６（ｃ）ではＤ（ｎ−１）＝Ｌｔであるから、強調規則は、Ｄ（ｎ）＜Ｌｔｈの場合はCase５、Ｌｔｈ＜Ｄ（ｎ）＜Ｌｔの場合はCase６、Ｄ（ｎ）＝Ｌｔの場合はCase０、Ｌｔ＜Ｄ（ｎ）の場合はCase３となる。
【００８２】
図６（ｂ）、図６（ｃ）では、Ｄ（ｎ−１）がそれぞれＬｓ、Ｌｔの場合について説明したが、Ｄ（ｎ−１）が他の値をとった場合においても、それぞれ強調規則を設定する。また、図６（ｂ）、図６（ｃ）で示した例はあくまで１例である。強調処理量のグラフがより複雑な曲線となるようように強調規則を設定することもできる。以上説明したように、強調規則は、Ｄ（ｎ）、Ｄ（ｎ−１）、フィールド変換規則（特にＬｔｈ）に関係が深いため、これらを勘案して調整する。
【００８３】
上記の３要素以外に強調規則の決定に影響を与えうる要素として、例えばフレームの分割数、液晶表示パネルの温度、液晶表示パネルのγ値、１フレーム期間の長さ、各フィールド期間の長さの比率、表示データの色、などがあげられる。
【００８４】
フレームの分割数ｍは、すなわち１フレームを構成するフィールドの数ｍである。例えば１フレームをｍ分割する場合、各フィールド用に合計ｍ個の強調規則を用意することが好ましい。あるいは、基本となる強調規則を１つ以上、ｍ個以下の数だけ用意し、例えば補間演算などの手段によって各フィールド毎に前記強調規則を調整する手段を用意することにしてもよい。
【００８５】
液晶表示パネルの温度は、液晶の応答速度に影響を与える。一般に温度が高いと応答速度は高まり、温度が低いと応答速度は下がる。よって、温度が高い場合は、強調処理量は小さくてすみ、温度が低い場合は強調処理量は大きくする必要がある。例えば、液晶表示パネルの温度を検出し、温度に応じて強調規則を調整する手段を設けると、より均質性の高い良好な表示品質を得ることができる。
【００８６】
液晶表示パネルのγ値は、入力階調表示データと液晶表示パネルの表示輝度との関係を示す値である。前記のとおり、本発明の表示装置においては、入力階調表示データと表示輝度との関係はフィールド変換規則によって定める。すなわち、液晶表示パネルのγ値を変更すると、フィールド変換規則を変更する必要が生じ、それに関係して強調規則も変更する必要が生じる。よって例えば液晶表示パネルのγ値に応じて、それぞれのγ値にあわせて調整したフィールド変換規則と強調規則のペアを複数個用意しておき、γ値に変更があった場合は、そのγ値に対応したフィールド変換規則と強調規則を選択して使用するような構成とすることが好ましい。
【００８７】
１フレーム期間の長さは、入力表示データの更新周期を示す。１フレーム期間の長さが短くなると、液晶が応答するのに充分な時間を得ることができなくなり、液晶表示パネルの表示が入力表示データに追従せず、画質が劣化する。この場合、強調処理量を大きくすることが画質劣化の抑制に有効である。逆に１フレーム期間の長さが長くなると、液晶表示パネルの追従性が向上し、画質劣化は生じにくい。この場合は、強調処理量を小さく調整することが可能である。
よって、例えば１フレーム期間の長さを検出し、１フレーム期間の長さに応じて強調規則を調整する手段を設けると、より良好な表示品質を得ることができる。
【００８８】
各フィールド期間の長さの比率とは、例えばＡフィールドの長さとＢフィールドの長さの比率である。Ａフィールド期間の長さとＢフィールド期間の長さは必ずしも１：１である必要はない。例えば階調が高い方のフィールド期間を短くし、階調が低い方のフィールド期間を長くすると、発光特性はより一層インパルス型に近づくため、動画の表示品質が向上する。よって例えばフィールド期間の比率を調整することで動画表示品質を調整することも可能である。
この場合、前記のとおりフィールド期間の長さは液晶の応答性に影響するため、例えばフィールド期間が長いフィールドでは、強調処理量をより小さくするように調整し、フィールド期間が短いフィールドでは、強調処理量をより大きくするように調整する手段を設けると、より均質性の高い良好な表示品質を得ることができる。
【００８９】
表示データの色は、Ｄ（ｎ）とＤ（ｎ−１）それぞれの色のことである。例えば液晶表示パネルの画素は、赤、緑、青の３つの副画素からなり、各副画素ごとに階調データが異なる。３つの副画素で階調データが異なるということは、すなわち３つの副画素で応答時間が必ずしも均一ではない、ということである。よって例えばある１つの副画素の応答時間が、他の２つの副画素の応答時間よりも極端に長いあるいは短い場合、応答の途中で輝度のバランスがくずれ、本来想定していない色を発色する色ズレと呼ぶノイズが発生してしまう。前記色ズレノイズを回避するためには、赤、緑、青の各副画素の応答時間の特性をできるだけ均一とする必要がある。
よって、例えばＤ（ｎ）とＤ（ｎ−１）の色の組合せにおいて、副画素毎の応答時間の不均一性に起因する色ズレノイズが発生しないように、各副画素毎に強調規則を調整する手段を設けることで、より良好な表示品質を得ることができる。
【００９０】
なお、以上の説明において、ＡフィールドとＢフィールドの順を逆とする構成とすることもできる。
【００９１】
以上のように表示装置を構成することで、図２（ｃ）に示したような、フレーム分割駆動と強調駆動を組合せた駆動手段を実現でき、動画像における動画ぼやけを低減した良好な画質を得ることができる。
【００９２】
ホールド型の表示装置に対しフレーム分割駆動を適用することで、インパルス型表示装置の発光特性を実現し、動画ぼやけの少ない良好な表示品質を得ることができる。さらに、強調駆動により、見かけの輝度応答に要する時間を短縮し、さらに動画ぼやけの少ない良好な表示品質を得ることができる。フレームを分割したフィールドのそれぞれに対し個別に強調駆動を制御することで、偽の輪郭線や色ズレの発生を抑え、良好な表示品質を得ることができる。また、フレーム分割駆動と強調駆動とで１チップのフレームメモリ制御回路及び１チップのフレームメモリを共用するため、フィールド分割駆動と強調駆動をそれぞれ独立して実施する場合に比べ、回路規模あるいは部品点数の削減が可能となる。
【実施例２】
【００９３】
以下、本発明の実施例２について、図７並びに図８を用いて説明する。
【００９４】
図７は、本発明の一実施形態を適用した表示装置の構成例を示す図である。図８は、本発明の一実施形態を適用した表示装置の動作例を示す図であり、図７に示した表示装置のタイミングチャートの例を示す。実施例２中、実施例１と同一符号の構成は、実施例１の構成と同一である。以下、実施例１と相違する部分を中心に、実施例２を説明する。
【００９５】
強調回路320は、入力表示データ302を入力として受け付けると共に、入力表示データ302の入力と同期して、入力表示データ302の１フレーム前の入力表示データをフレームメモリ361から読み出すよう、フレームメモリ制御回路360へ指示する。そして強調回路320は、入力表示データ302と、１フレーム前の入力表示データ322との関係から、予め定められた強調規則にのっとって、入力表示データ302に強調駆動のためのデータ変換を施して強調データ321を生成する。ここで強調規則は、強調パラメータ324として設定パラメータ保持回路370から強調回路320に入力する。更に、強調回路320は、受け付けた入力表示データ302をフレームメモリ361に書込む。723はフレームメモリ361への書込みデータである。
【００９６】
倍速化回路310は、入力された強調データ321を順次フレームメモリ361に格納するよう、フレームメモリ制御回路360へ指示する。一方で、格納した１フレーム期間分の強調データを読み出す際には、１フレーム期間を２分割した時間内に読み出すよう、フレームメモリ制御回路360へ指示する。更に、１フレーム期間に２回読み出すことで、フレーム周波数の２倍化が実現できる。１回目に読み出した強調データは、Ａフィールド用の倍速化強調データとして使用し、２回目に読み出した強調データはＢフィールド用の倍速化強調データとして用いる。また倍速化回路310は、フィールド判定信号315と倍速制御信号群311を生成する。フィールド判定信号315は、倍速化強調データ712に同期しており、倍速化強調データ712がAフィールド用の倍速化強調データであるのか、Bフィールド用の倍速化強調データであるのかを識別するために用いる。
【００９７】
次に、図８を用いて本発明の表示装置の各部の動作について説明する。
【００９８】
図８は、図７に示した表示装置の動作のタイミングチャートの例を示す図である。横軸は時間を示す。図８の上段には表示装置各部の信号波形群の例を示した。
【００９９】
強調回路320によって入力表示データ302に対して強調処理を実施する。強調回路320は、入力表示データ302を入力として受け付けると共に、入力表示データ302の入力と同期して、入力表示データの１フレーム前の入力表示データを、１フレーム期間でフレームメモリから読み出す。例えば第ｎフレームの入力表示データが入力されたときは、入力表示データと同期してフレームメモリから第（ｎ−１）フレームのデータを読出す。そして入力表示データ712と、フレームメモリ361から読出したデータ322と、強調パラメータ324とを用いて強調データ321を生成する。
【０１００】
図８において、記号Ｅは強調パラメータを示す。図８において、記号Ｅ（ｎ）は第ｎフレームの強調データを示す。同様に、例えばＥ（ｎ−１）は第（ｎ−１）フレームの強調データを示す。例えば、入力表示データ302の順序が１フレーム期間を単位に、．．．Ｄ（ｎ−１）、Ｄ（ｎ）、Ｄ（ｎ＋１）、．．．のように入力された場合、フレームメモリ361から、．．．Ｄ（ｎ−２）、Ｄ（ｎ−１）、Ｄ（ｎ）．．．のように読出す。このとき強調パラメータ324を、強調回路320に入力する。これらの信号に基づいて強調処理を実施し、強調データ321を、．．．Ｅ（ｎ−１）、Ｅ（ｎ）、Ｅ（ｎ＋１）．．．のように生成し、出力する。
【０１０１】
続いて、倍速化回路310によって、倍速化処理を実施する。倍速化回路310は、強調データ321をフレームメモリ361へ順次書込むよう、フレームメモリ制御回路360へ指示する。このときフレームメモリ361へ書込むデータの順序は、１フレーム期間単位で、．．．Ｅ（ｎ−１）、Ｅ（ｎ）、Ｅ（ｎ＋１）．．．のようになる。一方で、倍速化回路310は、フレームメモリ361に書込んだデータを読出すよう、フレームメモリ制御回路360へ指示する。このときフレームメモリ361から読出すデータの順序は、１フレーム期間を２分割した１フィールド期間を単位に、．．．Ｅ（ｎ−２）、Ｅ（ｎ−１）、Ｅ（ｎ−１）、Ｅ（ｎ）、Ｅ（ｎ）、Ｅ（ｎ＋１）．．．のようになる。そして、倍速化回路310は、フレームメモリ361から読出したデータを倍速化強調データ712として出力する。また、倍速化回路310は、フィールド判定信号315を生成する。  図８において、記号ＦＡはＡフィールド用のフィールド変換パラメータＡを示し、記号ＦＢはＢフィールド用のフィールド変換パラメータＢを示す。図８において、記号ＦＡ・Ｅ（ｎ）は第ｎフレームの倍速化強調データに対してＡフィールド用のフィールド変換を施したデータを示す。同様に、例えばＦＡ・Ｅ（ｎ−１）は第（ｎ−１）フレームの倍速化強調データに対してＡフィールド用のフィールド変換を施したデータを示す。図８において、記号ＦＢ・Ｅ（ｎ）は第ｎフレームの倍速化強調データに対してＢフィールド用のフィールド変換を施したデータを示す。同様に、例えばＦＢ・Ｅ（ｎ−１）は第（ｎ−１）フレームの倍速化強調データに対してＢフィールド用のフィールド変換を施したデータを示す。例えば、倍速化強調データ712が．．．Ｅ（ｎ−２）、Ｅ（ｎ−１）、Ｅ（ｎ−１）、Ｅ（ｎ）、Ｅ（ｎ）、Ｅ（ｎ＋１）．．．のように入力された場合、フィールド変換パラメータを、フィールド変換パラメータセレクタ332において、フィールド判定信号315に基づいて．．．ＦＢ、ＦＡ、ＦＢ、ＦＡ、ＦＢ、ＦＡ、．．．のように選択し、フィールド変換回路330に入力する。これらの信号に基づいてフィールド変換処理を実施し、フィールド変換データ331を、、．．．ＦＢ・Ｅ（ｎ−２）、ＦＡ・Ｅ（ｎ−１）、ＦＢ・Ｅ（ｎ−１）、ＦＡ・Ｅ（ｎ）、ＦＢ・Ｅ（ｎ）、ＦＡ・Ｅ（ｎ＋１）．．．のように生成し、出力する。
【０１０２】
図８の下段にはフレームメモリ361内のデータ量の推移のグラフを示した。横軸はフレーム（すなわち時間）であり、縦軸はデータ量である。1フレーム分のデータ量を１として表示した。
【０１０３】
フレームメモリ361には各フレームのデータを各回路での処理に必要な期間だけ格納、保持する。不要になったフレームのデータは順次破棄するか、あるいは新しいフレームデータで上書きする。例えば第（ｎ−１）フレームのデータＤ（ｎ−１）に着目すると、第（ｎ−１）フレームのデータ入力が開始されると次第にフレームメモリ内のデータ量が増えていき、第（ｎ−１）フレームのデータ入力が終了した時点でちょうど１フレーム分の容量がフレームメモリ361に格納されることとなる。続いて、第ｎフレームのデータが入力されている期間では、強調処理に使用するため、第（ｎ−１）フレームのデータを読出す。一方、一度読出した第（ｎ−１）フレームのデータは不要となる。よって一度読出した第（ｎ−１）フレームのデータは、順次破棄ないし他のデータで上書きする。第ｎフレームの前半終了時点で、フレームメモリ361内の第（ｎ−１）フレームのデータ量は０となる。このように各フレームのデータは、書込み、廃棄の３つの段階を踏み、合計２フレーム期間にわたってフレームメモリ361に格納する。以上述べた一連の操作は各フレーム毎に常時実行する。
【０１０４】
同様にフレームメモリ361には、倍速化強調データを生成するために、強調データも格納する。例えば第（ｎ−１）フレームの強調データＥ（ｎ−１）に着目すると、第（ｎ−１）フレームのデータ入力が開始されると次第にフレームメモリ内のデータ量が増えていき、第（ｎ−１）フレームのデータ入力が終了した時点でちょうど１フレーム分の容量がフレームメモリ361に格納されることとなる。このとき、第（ｎ−１）フレームの後半期間においては、第（ｎ−１）フレームの強調データの書込み操作と共に、倍速化処理のために第（ｎ−１）フレーム強調のデータを読出す操作も実施している。
【０１０５】
続いて、第ｎフレームのデータが入力されている期間では、フレーム期間の前半は強調処理に使用するため、第（ｎ−１）フレームの強調データを倍速で読出す。一方、一度読出した第（ｎ−１）フレームの強調データは不要となる。よって一度読出した第（ｎ−１）フレームの強調データは、順次破棄ないし他のデータで上書きする。これにより、第ｎフレームの前半終了時点で、フレームメモリ361内の第（ｎ−１）フレームのデータ量は０となる。このように各フレームの強調データは、書込み、廃棄の２つの段階を踏み、合計１．５フレーム期間にわたってフレームメモリ361に格納する。以上述べた一連の操作は各フレーム毎に常時実行する。以上、各フレーム毎のフレームメモリ361内のデータ量の推移について説明した。
【０１０６】
図８の最下段に、各フレームのデータ量の合計の推移をグラフで示した。このように、データ量に変動はあるが、合計のデータ量が２フレーム分を超えることはない。すなわち、フレームメモリ361の容量は少なくとも２フレーム分あれば、本発明の表示装置が実現できる。
【０１０７】
図９（ａ）は、本発明の表示装置の強調回路320において、強調処理を行なう際に用いる強調規則の例を示す図である。横軸に第ｎフレームの入力表示データＤ（ｎ）、縦軸に第（ｎ−１）フレームの入力表示データＤ（ｎ−１）をとった。実施例２では、フィールド変換元データは倍速化強調データ712に相当し、フィールド変換後データはフィールド変換データ331に相当する。
【０１０８】
図９（ａ）に示した実施例２の強調規則は、図６（ａ）に示した実施例１の強調規則と同様に、図７に示したフィールド変換規則と密接に関係し、Case0〜6の7つのケースに分けることができる。実施例１では、Ａフィールド用の強調規則とＢフィールド用の強調規則と２つの強調規則を用いた。一方、実施例２では、強調規則は１つである。これにより、実施例１と実施例２では強調規則は異なる。
【０１０９】
図９（ａ）を用いて強調規則の概要について説明する。
【０１１０】
Case０では、強調の必要がないため、強調処理量は０である（強調処理量＝０）。
【０１１１】
Case１、Case２、Case３では、立上り強調処理を施す（強調処理量＞０）。ただし、Case１、Case２、Case３は、Ｄ（ｎ）並びにＤ（ｎ−１）の輝度の表示方法が異なるためそれぞれのケースで異なった強調規則を適用できるように構成すると良い。
【０１１２】
Case４、Case５、Case６では、立上り強調処理を施す（強調処理量＞０）。ただし、Case４、Case５、Case６は、Ｄ（ｎ）並びにＤ（ｎ−１）の輝度の表示方法が異なるためそれぞれのケースで異なった強調規則を適用できるように構成すると良い。
【０１１３】
図９（ｂ）並びに図９（ｃ）を用いて具体的な例をあげてより詳細に説明する。
【０１１４】
図９（ｂ）並びに図９（ｃ）は、実施例２における強調規則の例をグラフで示した図である。図９（ｂ）並びに図９（ｃ）の横軸には、Ｄ（ｎ）の値をとり、縦軸には強調処理量をとった。強調処理量は、Ｄ（ｎ）に対して強調処理を施す場合に強調データとして付加する値であり、正負の値とすることが可能である。
【０１１５】
図９（ｂ）はＤ（ｎ−１）がある階調Ｌｓ（Ｌｓ＜Ｌｔｈ）であった場合について、Ｄ（ｎ）の値に応じて強調処理量をどのように定めるかの例を示す図である。前記のとおり、強調規則は７つのケースをとる。図９（ｂ）ではＤ（ｎ−１）＝Ｌｓであるから、強調規則は、Ｄ（ｎ）＜Ｌｓの場合はCase４、Ｄ（ｎ）＝Ｌｓの場合はCase０、Ｌｓ＜Ｄ（ｎ）＜Ｌｔｈの場合はCase１、Ｌｔｈ＜Ｄ（ｎ）の場合はCase２となる。
【０１１６】
図９（ｃ）はＤ（ｎ−１）がある階調Ｌｔ（Ｌｔ＞Ｌｔｈ）であった場合について、Ｄ（ｎ）の値に応じて強調処理量をどのように定めるかの例を示す図である。前記のとおり、強調規則は７つのケースをとる。図９（ｃ）ではＤ（ｎ−１）＝Ｌｔであるから、強調規則は、Ｄ（ｎ）＜Ｌｔｈの場合はCase５、Ｌｔｈ＜Ｄ（ｎ）＜Ｌｔの場合はCase６、Ｄ（ｎ）＝Ｌｔの場合はCase０、Ｌｔ＜Ｄ（ｎ）の場合はCase３となる。
【０１１７】
図９（ｂ）、図９（ｃ）では、Ｄ（ｎ−１）がそれぞれＬｓ、Ｌｔの場合について説明したが、Ｄ（ｎ−１）が他の値をとった場合においても、それぞれ強調規則を設定する。また、図９（ｂ）、図９（ｃ）で示した例はあくまで１例である。強調処理量のグラフがより複雑な曲線となるようように強調規則を設定することもできる。
【０１１８】
以上のように表示装置を構成することで、図２（ｃ）に示したような、フレーム分割駆動と強調駆動を組合せた駆動手段を実現でき、動画像における動画ぼやけを低減した良好な画質を得ることができる。
【産業上の利用可能性】
【０１１９】
本発明は、液晶テレビなどに利用できる。
【図面の簡単な説明】
【０１２０】
【図１】表示装置の入力表示データと前記入力表示データに対してフレーム分割駆動を実施した場合の出力表示データの変化の様子の例を示すグラフである。
【図２】図１に示した入力表示データに対して従来の強調駆動を実施した場合の出力表示データと、本発明を適用した強調駆動を実施した場合の出力表示データの変化の様子の例を示すグラフである。
【図３】本発明の第１の実施例における表示装置の構成例を示す図である。
【図４】本発明の第１の実施例における表示装置の動作例を示す図である。
【図５】本発明の第１乃至第２の実施例における表示装置のフレーム分割駆動に用いるフィールド変換規則の例を示す図である。
【図６】本発明の第１の実施例における表示装置の強調駆動に用いる強調規則の例を示す図である。
【図７】本発明の第２の実施例における表示装置の構成例を示す図である。
【図８】本発明の第２の実施例における表示装置の動作例を示す図である。
【図９】本発明の第２の実施例における表示装置の強調駆動に用いる強調規則の例を示す図である。
【符号の説明】
【０１２１】
301  …  入力制御信号群、302  …  入力表示データ、310  …  倍速化回路、311  …  倍速制御信号群、312  …  倍速化データ、313  …  書込みデータ、314  …  読出しデータ、315  …  フィールド判定信号、320  …  強調回路、321  …  強調データ、322  …  読出しデータ、323  …  強調パラメータ選択回路、324  …  強調パラメータ、325  …  強調パラメータＡ、326  …  強調パラメータＢ、330  …  フィールド変換回路、331  …  フィールド変換データ、332  …  フィールド変換パラメータ選択回路、333  …  フィールド変換パラメータ、334  …  フィールド変換パラメータＡ、335  …  フィールド変換パラメータＢ、340  …  タイミング生成回路、341  …  データ線駆動回路制御信号群、342  …  出力表示データ、343  …  走査線駆動回路、350  …  液晶表示パネル、351  …  液晶表示パネル画素、352  …  データ線駆動回路、353  …  データ電圧、354  …  走査線駆動回路、355  …  走査線選択信号、356  …  参照電圧生成回路、357  …  参照電圧、360  …  フレームメモリ制御回路、361  …  フレームメモリ、362  …  メモリ制御信号群、363  …  書込みデータ、364  …  読出しデータ、370  …  設定パラメータ保持回路371  …  記憶回路、372  …  制御信号群、373  …  各種設定パラメータ、712  …  倍速化強調データ、723  …  書込みデータ
【図１】
2006343707.tif 000003
【図２】
2006343707.tif 000004
【図３】
2006343707.tif 000005
【図４】
2006343707.tif 000006
【図５】
2006343707.tif 000007
【図６】
2006343707.tif 000008
【図７】
2006343707.tif 000009
【図８】
2006343707.tif 000010
【図９】
2006343707.tif 000011